(57)【要約】  【課題】  従来の液晶表示装置では、非点灯状態の方の液晶表示パネルの対向電極にも、交流化された電位が供給されるので、充放電が発生し、液晶表示装置の消費電力が増加する。  【解決手段】  サブ側液晶表示パネルの方が点灯している場合、サブ側液晶表示パネルの対向電極を交流駆動し、サブ側液晶表示パネルの方が非点灯の場合、サブ側液晶表示パネルの対向電極に所定の電圧値を有する直流電圧を印加するサブ対向電極駆動回路と、メイン側液晶表示パネルの方が点灯している場合、メイン側液晶表示パネルの対向電極を交流駆動し、メイン側液晶表示パネルの方が非点灯の場合、メイン側液晶表示パネルの対向電極に所定の電圧値を有する直流電圧を印加するメイン対向電極駆動回路とを備え、第１の信号電極線の全てのそれぞれは、第２の信号電極線の一部のそれぞれに接続されている。【選択図】  図４
2005091626.tif 000002
【特許請求の範囲】
【請求項１】
マトリックス状に配置された第１の信号電極線及び第１の走査電極線、及び前記第１の信号電極線及び第１の走査電極線の交点に設けられた第１の液晶表示素子を有するサブ側液晶表示パネルと、
マトリックス状に配置された第２の信号電極及び第２の走査電極線、及び前記第２の信号電極線及び第２の信号電極線の交点に設けられた第２の液晶表示素子を有するメイン側液晶表示パネルと、
前記第１の走査電極線及び前記第２の走査電極線を駆動する走査電極駆動回路と、
前記第１の信号電極線及び前記第２の信号電極線を駆動する信号電極駆動回路と、
前記サブ側液晶表示パネルの方が表示のために選択されている場合、前記サブ側液晶表示パネルの対向電極を交流駆動し、前記サブ側液晶表示パネルの方が表示のために選択されていない場合、前記サブ側液晶表示パネルの対向電極に所定の電圧値を有する直流電圧を印加するサブ液晶対向電極駆動回路と、
前記メイン側液晶表示パネルの方が表示のために選択されている場合、前記メイン側液晶表示パネルの対向電極を交流駆動し、前記メイン側液晶表示パネルの方が表示のために選択されていない場合、前記メイン側液晶表示パネルの対向電極に所定の電圧値を有する直流電圧を印加するメイン液晶対向電極駆動回路とを備え、
前記第１の信号電極線の全てのそれぞれは、前記第２の信号電極線の一部のそれぞれに接続されており、
前記サブ側液晶表示パネルと前記メイン側液晶表示パネルとは同時に表示されることがない、液晶表示装置。
【請求項２】
前記サブ液晶対向電極駆動回路は、前記サブ側液晶表示パネルの方が表示のために選択されており、かつ前記サブ側液晶表示パネルが非表示期間である場合、前記サブ側液晶表示パネルの対向電極に所定の電圧値を有する直流電圧を印加し、
前記メイン液晶対向電極駆動回路は、前記メイン側液晶表示パネルの方が表示のために選択されており、かつ前記メイン側液晶表示パネルが非表示期間である場合、前記メイン側液晶表示パネルの対向電極に所定の電圧値を有する直流電圧を印加する、請求項１記載の液晶表示装置。
【請求項３】
前記所定の電圧値の直流電圧とは、前記液晶表示パネルが表示のために選択されていない場合に、前記液晶表示パネルの寄生容量及びリークにより発生する電圧の変動を低減出来るような直流電圧である、請求項１記載の液晶表示装置。
【請求項４】
前記所定の電圧値の直流電圧とは、前記液晶表示パネルが表示のために選択されており、かつ前記液晶表示パネルが非表示期間である場合に、前記液晶表示パネルの寄生容量及びリークにより発生する電圧の変動を低減出来るような直流電圧である、請求項２記載の液晶表示装置。
【請求項５】
送信波をアンテナに出力する送信回路と、
前記アンテナで受信された受信波を入力する受信回路と、
前記送信回路から出力される画像及び／または前記受信回路により受信された画像を少なくとも表示する表示手段とを備え、
前記表示手段には、請求項１〜４のいずれかに記載の液晶表示装置が用いられている、移動体通信端末。
【請求項６】
マトリックス状に配置された第１の信号電極線及び第１の走査電極線、及び前記第１の信号電極線及び第１の走査電極線の交点に設けられた第１の液晶表示素子を有するサブ側液晶表示パネルと、
マトリックス状に配置された第２の信号電極及び第２の走査電極線、及び前記第２の信号電極線及び第２の信号電極線の交点に設けられた第２の液晶表示素子を有するメイン側液晶表示パネルと、
前記第１の走査電極線及び前記第２の走査電極線を駆動する走査電極駆動回路と、
前記第１の信号電極線及び前記第２の信号電極線を駆動する信号電極駆動回路とを備えた液晶表示装置を駆動する液晶表示装置の駆動方法であって、
サブ液晶対向電極駆動回路が、前記サブ側液晶表示パネルの方が表示のために選択されている場合、前記サブ側液晶表示パネルの対向電極を交流駆動し、前記サブ側液晶表示パネルの方が表示のために選択されていない場合、前記サブ側液晶表示パネルの対向電極に所定の電圧値を有する直流電圧を印加するサブ液晶対向電極駆動ステップと、
メイン液晶対向電極駆動回路が、前記メイン側液晶表示パネルの方が表示のために選択されている場合、前記メイン側液晶表示パネルの対向電極を交流駆動し、前記メイン側液晶表示パネルの方が表示のために選択されていない場合、前記メイン側液晶表示パネルの対向電極に所定の電圧値を有する直流電圧を印加するメイン液晶対向電極駆動ステップとを備え、
前記第１の信号電極線の全てのそれぞれは、前記第２の信号電極線の一部のそれぞれに接続されており、
前記サブ側液晶表示パネルと前記メイン側液晶表示パネルとは同時に表示されることがない、液晶表示装置の駆動方法。
【発明の詳細な説明】
【技術分野】
【０００１】
本発明は、画像を表示する液晶表示装置、液晶表示装置の駆動方法、及び移動体通信端末に関するものである。
【背景技術】
【０００２】
携帯電話などに用いられる液晶表示装置は、近年、フリップ形式（折り畳み形式）の端末が普及し、液晶表示画面も従来の１つの画面から２画面を構成するものも現れてきている。このようなフリップ形式の端末では、スピーカや操作キーが配置されている側にメイン側の液晶表示装置が設けられており、スピーカや操作キーが配置されている側とは反対側にサブ側の液晶表示パネルが設けられている。そして、一般的には、フリップが閉じているときにはサブ側の液晶表示装置が表示され、フリップを開いているときにはメイン側の液晶表示装置が表示される。従来は、サブ側の液晶表示装置とメイン側の液晶表示装置とは、２つの別々の液晶表示装置で構成されていたが、最近のものは、１つの駆動回路で、２つの液晶表示装置を駆動するタイプも現れてきている（例えば、特許文献１参照。）。
【０００３】
図９に、このような最近の液晶表示装置のブロック図を示す。
【０００４】
図９において、従来の液晶表示装置は、サブ側液晶表示パネル５０１と、メイン側液晶表示パネル５０２は、ともに、マトリックス状に配置された信号電極線５０３及び走査電極線５０４を有し、走査電極線５０４と信号電極線５０３とが交差する交点毎に画素電極が設けられ、この画素電極と対向電極との間に液晶層が設けられているパネルである。
【０００５】
また、フリップを閉じたときに表示するサブ側液晶表示パネル５０１とフリップを開いたときに表示するメイン側液晶表示パネル５０２とがＦＰＣ（フレキシプルプリント基板）５０７により接続されている。そして、このＦＰＣの配線により、メイン側信号電極線とサブ側信号電極線とが接続されており、かつ、サブ側走査電極線を走査電極線駆動回路５０６よりメイン側液晶パネル５０２を通して接続する構成となっている。
【０００６】
さらに、メイン側液晶表示パネル上には、制御部１０９を含む信号電極線駆動回路５０５と、サブ側対向電極駆動信号５０８とメイン側対向電極駆動信号５０９とを発生させる対向電極駆動回路を含む走査電極線駆動回路５０６とが設けられている。
【０００７】
次に、図７と図８を用いて、サブ側対向電極駆動信号５０８とメイン側対向電極駆動信号５０９とを発生させる対向電極駆動回路について説明する。
【０００８】
図８は、対向電極駆動回路の構成図であり、図７は、その駆動波形である。
【０００９】
図８において、サブ側の対向電極駆動信号のＨｉ側のＤＣ電圧は、ＶＣＯＭＨ１発生回路１０３でつくられ、サブ側の対向電極駆動信号のＬｏ側のＤＣ電圧は、ＶＣＯＭＬ１発生回路１０４でつくられる。
【００１０】
さらに、これらＤＣ電圧を使用して、サブ側液晶表示パネルの対向電極駆動信号ＶＣＯＭ１は、ＶＣＯＭＨ１発生回路１０３のＤＣ電圧と、ＶＣＯＭＬ１発生回路１０４のＤＣ電圧とから、極性信号４０１により制御され、各電圧を選択するスイッチ回路１０７で作られる。ここで、極性信号４０１は、制御部１０９から供給される。
【００１１】
一方、メイン側液晶表示パネル５０２の対向電極駆動信号ＶＣＯＭ２は、メイン側の対向電極駆動信号のＨｉ側のＤＣ電圧を発生させるＶＣＯＭＨ２発生回路１０５と、メイン側の対向電極駆動信号のＬｏ側のＤＣ電圧を発生させるＶＣＯＭＬ２発生回路１０６とで作られたＤＣ電圧とから、極性信号４０１により制御され、各電圧を選択するスイッチ回路１０８で作られる。
【００１２】
このときの信号波形を、図７に示す。ここで、サブ側液晶表示パネル５０１と、メイン側液晶表示パネル５０２とを同時に表示させることがないものとする。そして、サブ側液晶表示パネル５０１の方が表示のために選択されている、すなわち、点灯状態にあり、メイン側液晶表示パネル５０２の方が表示のために選択されていない、すなわち、非点灯状態にあるとする。
【００１３】
図７において、ＶＤは、垂直同期信号であり、垂直同期信号は一垂直期間の周期を持っている。また、ＶＣＯＭ１は、サブ側液晶表示パネル５０１の対向電極駆動信号であり、極性信号４０１の周波数に対応した周波数の信号となっており、１水平期間毎に極性が反転している。また、ＶＣＯＭ２は、メイン側液晶表示パネル５０２の対向電極駆動信号であり、極性信号４０１の周波数の対応した周波数の信号となっており、ＶＣＯＭ１と同様に１水平期間毎に極性が反転している。一般に、液晶表示装置は、液晶材料の信頼性や、表示特性を考慮して、交流化駆動され、ＤＣ駆動は行われない。
【００１４】
つまり、図７の例では、サブ側液晶表示パネル５０１の対向電極駆動信号ＶＣＯＭ１波形３０４と、メイン側液晶表示パネル５０２の対向電極駆動信号ＶＣＯＭ２波形３０５は、１つの極性信号４０１に基づき、１水平期間毎、かつ、１垂直期間毎で、交流化がなされている。
【００１５】
このように、メイン側液晶表示パネル５０２は現在非点灯状態であるが、サブ側液晶表示パネル５０１と同様に、その対向電極は１水平期間毎に交流化駆動されている。
【００１６】
また、１水平期間は、図７のＴ１１で示すような表示期間とＴ１２で示すような非表示期間（垂直ブランキング期間）とから構成される。表示期間Ｔ１１は、サブ側液晶表示パネル５０１の画素電極が選択走査される期間である。これに対して、非表示期間Ｔ１２は、サブ側液晶表示パネル５０１のいずれの画素電極も選択走査が行われていない期間である。図７から明らかなように、サブ側液晶表示パネル５０１においては、表示期間Ｔ１１及び非表示期間Ｔ１２のいずれであるかにかかわらず、常にサブ側液晶表示パネル５０１の対向電極は、１水平期間毎に交流化駆動されていることがわかる。
【００１７】
上記では、サブ側液晶表示パネル５０１が点灯状態にあり、メイン側液晶表示パネル５０２が非点灯状態にあるとして説明したが、サブ側液晶表示パネル５０１が非点灯状態にあり、メイン側液晶表示パネル５０２が点灯状態にある場合も同様である。
【特許文献１】特開２００３−１７７６８４号公報
【発明の開示】
【発明が解決しようとする課題】
【００１８】
しかしながら、上述したように、サブ側液晶表示パネル５０１及びメイン側液晶表示パネル５０２のうち、非点灯状態の方の液晶表示パネルの対向電極には、極性信号４０１により交流化された電位が供給されるので、表示のために使用しないにも関わらずその非点灯状態の液晶表示パネルで、充放電が発生する。従って液晶表示装置の消費電力が増加する。
【００１９】
すなわち、従来の液晶表示装置では、非点灯状態の方の液晶表示パネルの対向電極にも、交流化された電位が供給されるので、充放電が発生し、液晶表示装置の消費電力が増加するという課題がある。
【００２０】
また、上述したように、サブ側液晶表示パネル５０１及びメイン側液晶表示パネル５０２のうち、点灯状態の方の液晶表示パネルの対向電極には、非表示期間（垂直ブランキング期間）Ｔ１２にも、表示のために画素電極が選択走査されないにもかかわらず、交流化された電位が供給されるので、その点灯状態の液晶表示パネルで、充放電が発生する。従って液晶表示装置の消費電力が増加する。
【００２１】
また、従来の液晶表示装置では、点灯状態の方の液晶表示パネルの対向電極には、非表示期間（垂直ブランキング期間）Ｔ１２にも、交流化された電位が供給されるので、充放電が発生し、液晶表示装置の消費電力が増加するという課題がある。
【００２２】
本発明は、上記課題を考慮し、消費電力が少ない液晶表示装置、液晶表示装置の駆動方法、及び移動体通信端末を提供することを目的とするものである。
【課題を解決するための手段】
【００２３】
上述した課題を解決するために、第１の本発明は、マトリックス状に配置された第１の信号電極線及び第１の走査電極線、及び前記第１の信号電極線及び第１の走査電極線の交点に設けられた第１の液晶表示素子を有するサブ側液晶表示パネルと、
マトリックス状に配置された第２の信号電極及び第２の走査電極線、及び前記第２の信号電極線及び第２の信号電極線の交点に設けられた第２の液晶表示素子を有するメイン側液晶表示パネルと、
前記第１の走査電極線及び前記第２の走査電極線を駆動する走査電極駆動回路と、
前記第１の信号電極線及び前記第２の信号電極線を駆動する信号電極駆動回路と、
前記サブ側液晶表示パネルの方が表示のために選択されている場合、前記サブ側液晶表示パネルの対向電極を交流駆動し、前記サブ側液晶表示パネルの方が表示のために選択されていない場合、前記サブ側液晶表示パネルの対向電極に所定の電圧値を有する直流電圧を印加するサブ液晶対向電極駆動回路と、
前記メイン側液晶表示パネルの方が表示のために選択されている場合、前記メイン側液晶表示パネルの対向電極を交流駆動し、前記メイン側液晶表示パネルの方が表示のために選択されていない場合、前記メイン側液晶表示パネルの対向電極に所定の電圧値を有する直流電圧を印加するメイン液晶対向電極駆動回路とを備え、
前記第１の信号電極線の全てのそれぞれは、前記第２の信号電極線の一部のそれぞれに接続されており、
前記サブ側液晶表示パネルと前記メイン側液晶表示パネルとは同時に表示されることがない、液晶表示装置である。
【００２４】
また、第２の本発明は、前記サブ液晶対向電極駆動回路は、前記サブ側液晶表示パネルの方が表示のために選択されており、かつ前記サブ側液晶表示パネルが非表示期間である場合、前記サブ側液晶表示パネルの対向電極に所定の電圧値を有する直流電圧を印加し、
前記メイン液晶対向電極駆動回路は、前記メイン側液晶表示パネルの方が表示のために選択されており、かつ前記メイン側液晶表示パネルが非表示期間である場合、前記メイン側液晶表示パネルの対向電極に所定の電圧値を有する直流電圧を印加する、第１の本発明の液晶表示装置である。
【００２５】
また、第３の本発明は、前記所定の電圧値の直流電圧とは、前記液晶表示パネルが表示のために選択されていない場合に、前記液晶表示パネルの寄生容量及びリークにより発生する電圧の変動を低減出来るような直流電圧である、第１の本発明の液晶表示装置である。
【００２６】
また、第４の本発明は、前記所定の電圧値の直流電圧とは、前記液晶表示パネルが表示のために選択されており、かつ前記液晶表示パネルが非表示期間である場合に、前記液晶表示パネルの寄生容量及びリークにより発生する電圧の変動を低減出来るような直流電圧である、第２の本発明の液晶表示装置である。
【００２７】
また、第５の本発明は、送信波をアンテナに出力する送信回路と、
前記アンテナで受信された受信波を入力する受信回路と、
前記送信回路から出力される画像及び／または前記受信回路により受信された画像を少なくとも表示する表示手段とを備え、
前記表示手段には、第１〜４の本発明のいずれかの液晶表示装置が用いられている、移動体通信端末である。
【００２８】
また、第６の本発明は、マトリックス状に配置された第１の信号電極線及び第１の走査電極線、及び前記第１の信号電極線及び第１の走査電極線の交点に設けられた第１の液晶表示素子を有するサブ側液晶表示パネルと、
マトリックス状に配置された第２の信号電極及び第２の走査電極線、及び前記第２の信号電極線及び第２の信号電極線の交点に設けられた第２の液晶表示素子を有するメイン側液晶表示パネルと、
前記第１の走査電極線及び前記第２の走査電極線を駆動する走査電極駆動回路と、
前記第１の信号電極線及び前記第２の信号電極線を駆動する信号電極駆動回路とを備えた液晶表示装置を駆動する液晶表示装置の駆動方法であって、
サブ液晶対向電極駆動回路が、前記サブ側液晶表示パネルの方が表示のために選択されている場合、前記サブ側液晶表示パネルの対向電極を交流駆動し、前記サブ側液晶表示パネルの方が表示のために選択されていない場合、前記サブ側液晶表示パネルの対向電極に所定の電圧値を有する直流電圧を印加するサブ液晶対向電極駆動ステップと、
メイン液晶対向電極駆動回路が、前記メイン側液晶表示パネルの方が表示のために選択されている場合、前記メイン側液晶表示パネルの対向電極を交流駆動し、前記メイン側液晶表示パネルの方が表示のために選択されていない場合、前記メイン側液晶表示パネルの対向電極に所定の電圧値を有する直流電圧を印加するメイン液晶対向電極駆動ステップとを備え、
前記第１の信号電極線の全てのそれぞれは、前記第２の信号電極線の一部のそれぞれに接続されており、
前記サブ側液晶表示パネルと前記メイン側液晶表示パネルとは同時に表示されることがない、液晶表示装置の駆動方法である。
【発明の効果】
【００２９】
消費電力が少ない液晶表示装置、液晶表示装置の駆動方法、及び移動体通信端末を提供することが出来る。
【発明を実施するための最良の形態】
【００３０】
以下に本発明の実施の形態を図面を参照して説明する。
【００３１】
（第１の実施の形態）
図１は、本発明の第１の実施の形態の液晶表示装置の対向電位の供給源の構成を示す図である。なお、本実施の形態の液晶表示装置の図１以外の部分については、従来の技術で説明した液晶表示装置と同様であるので、説明を省略する。
【００３２】
１は、メイン側液晶表示パネル５０２とサブ側液晶表示パネル５０１の表示切替信号であり、２はメイン側液晶表示パネル５０２の表示／非表示の表示切替信号であり、３はサブ側液晶表示パネル５０１の表示／非表示の表示切替信号であり、４はサブ側液晶表示パネル５０１の極性信号であり、５はメイン側液晶表示パネル５０２の極性信号であり、６は表示切替信号１と表示切替信号２、表示切替信号３、極性信号４、極性信号５を制御する制御部であり、７はサブ側液晶表示パネル５０１のＨｉ側の対向電位発生源であり、８はサブ側液晶表示パネル５０１のＬｏ側の対向電位発生源であり、９はメイン側液晶表示パネル５０２のＨｉ側の対向電位発生源であり、１０はメイン側液晶表示パネル５０２のＬｏ側の対向電位発生源であり、１１はサブ側液晶表示パネル５０１の非表示時に対向電極へ供給される対向電位発生源であり、１２はメイン側液晶表示パネル５０２の非表示時に対向電極へ供給される対向電位発生源であり、１３は表示切替信号１によって接続を切り替えるスイッチング素子であり、１４は表示切替信号１によって接続を切り替えるスイッチング素子であり、１５は極性信号４によって接続を切り替えるスイッチング素子であり、１６は極性信号５によって接続を切り替えるスイッチング素子であり、１７は表示切替信号３によって接続を切り替えるスイッチング素子であり、１８は表示切替信号２によって接続先を切り替えるスイッチング素子である。
【００３３】
なお、本実施の形態のスイッチング素子１７、スイッチング素子１５、対向電位発生源１１、スイッチング素子１３、スイッチング素子１４、対向電位発生源７、対向電位発生源８は本発明のサブ対向電極駆動回路の例であり、本実施の形態のスイッチング素子１８、スイッチング素子１６、対向電位発生源１２、スイッチング素子１３、スイッチング素子１４、対向電位発生源９、対向電位発生源１０はメイン対向電極駆動回路の例である。
【００３４】
次に、このような本実施の形態の動作を説明する。
【００３５】
図２は、本発明の実施の形態のサブ側液晶表示パネル５０１が点灯すなわち表示のために選択されており、メイン側液晶表示パネル５０２が非点灯すなわち表示のために選択されていない時の、１Ｈ対向反転駆動時の対向電位の時間変化をあらわす図である。図２において、１９はサブ側液晶表示パネル５０１の対向電位の時間変化であり、２０はメイン側液晶表示パネル５０２の対向電位の時間変化であり、Ｔ１はサブ側液晶表示パネル５０１の表示期間であり、Ｔ２はサブ側液晶表示パネル５０１の非表示期間（垂直ブランキング期間）である。
【００３６】
図３は本発明の実施の形態のサブ側液晶表示パネル５０１が非点灯すなわち表示のために選択されておらず、メイン側液晶表示パネル５０２が点灯すなわち表示のために選択されている時の、１Ｈ対向反転駆動時の対向電位の時間変化をあらわす図である。図３において、２１はサブ側液晶表示パネル５０１の対向電位の時間変化であり、２２はメイン側液晶表示パネル５０２の対向電位の時間変化であり、Ｔ３はメイン側液晶表示パネル５０２の表示期間であり、Ｔ４はメイン側液晶表示パネル５０２の非表示期間である。
【００３７】
サブ側液晶表示パネル５０１が点灯、メイン側液晶表示パネル５０２が非点灯の場合について図１及び図２を用いて説明をする。
【００３８】
表示切替信号１によりサブ側液晶表示パネル５０１が点灯状態を示すとき、スイッチング素子１３が対向電位発生源７により作り出されるＤＣ電圧、ＶＣＯＭＨ１を選択しＶＣＯＭＨとして出力し、スイッチング素子１４が対向電位発生源８により作り出されるＤＣ電圧、ＶＣＯＭＬ１を選択しＶＣＯＭＬとして出力する。
【００３９】
次に、極性信号４によってスイッチング素子１５は前記ＶＣＯＭＨと前記ＶＣＯＭＬを切り替えるて出力する。
【００４０】
次にスイッチング素子１７が、表示切替信号３がサブ側液晶表示パネル５０１の表示期間を示す時はスイッチング素子１５から出力される前記ＶＣＯＭＨと前記ＶＣＯＭＬが切り替えられた前記電位を選択し、表示切替信号３サブ側液晶表示パネル５０１の非表示期間を示す時は対向電位発生源１１により作り出されたＤＣ電圧、ＣＶＣＯＭＤＣ１を選択し、サブ側液晶表示パネル５０１の対向電位としてＶＣＯＭ１を供給する。
【００４１】
この時、メイン側液晶表示パネル５０２へは表示切替信号２がメイン側液晶表示パネル５０２の非表示状態を示しスイッチング素子１８は対向電位発生源１２により作り出されたＤＣ電圧、ＶＣＯＭＤＣ２を選択しメイン側液晶表示パネル５０２の対向電位としてＶＣＯＭ２を供給する。
【００４２】
すなわち、図２に示すようにサブ側液晶表示パネル５０１の対向電位１９は、サブ側液晶表示パネル５０１の点灯状態の時に、表示期間Ｔ１には前記ＶＣＯＭＨ１と前記ＶＣＯＭＬ１が極性信号４により交流化された電位となり、非表示期間Ｔ２においては前記ＶＣＯＭＤＣ１となり、メイン側液晶表示パネル５０２の対向電位２０は前記ＶＣＯＭＤＣ２を供給する。これにより、サブ側液晶表示パネル５０１が点灯状態の時、サブ側液晶表示パネル５０１の非表示期間Ｔ２及びメイン側液晶表示パネル５０２の対向電位はそれぞれ独立して液晶パネルの特性にあわせた一定電位を供給することが可能で、サブ側液晶表示パネル５０１は対向電極の電位をリークの少ない電位に調整し従来と変わらない表示品位を確保し、メイン側液晶表示パネル５０２は対向電極の電位を画素に蓄積される電位を放電しやすい電位に調整しつつ、対向電極の充放電を極端に減少させ、低消費電力化が可能となる。なお、非表示期間Ｔ２は１フレームの最後にあるとは限らず、また複数あってもよい。
【００４３】
次にメイン側液晶表示パネル５０２が点灯、サブ側液晶表示パネル５０１が非点灯の場合について図１及び図３を用いて説明する。
【００４４】
表示切替信号１によりメイン側液晶表示パネル５０２が点灯状態を示すとき、スイッチング素子１３が対向電位発生源９により作り出されるＤＣ電圧、ＶＣＯＭＨ２を選択しＶＣＯＭＨとして出力し、スイッチング素子１４が対向電位発生源１０により作り出されるＤＣ電圧、ＶＣＯＭＬ２を選択しＶＣＯＭＬとして出力する。
【００４５】
次に極性信号４によってスイッチング素子１６は前記ＶＣＯＭＨと前記ＶＣＯＭＬを切り替えるて出力する。
【００４６】
次にスイッチング素子１８が表示切替信号２がメイン側液晶表示パネル５０２の表示期間を示す時はスイッチング素子１６から出力される前記ＶＣＯＭＨと前記ＶＣＯＭＬが切り替えられた前記電位を選択し、表示切替信号２がメイン側液晶表示パネル５０２の非表示期間を示す時は対向電位発生源１２により作り出されたＤＣ電圧、ＶＣＯＭＤＣ２を選択し、メイン側液晶表示パネル５０２の対向電位としてＶＣＯＭ２を供給する。
【００４７】
この時、サブ側液晶表示パネル５０１へは表示切替信号３がサブ側液晶表示パネル５０１の非表示状態を示しスイッチング素子１７は対向電位発生源１１により作り出されたＤＣ電圧、ＶＣＯＭＤＣ１を選択しサブ側液晶表示パネル５０１の対向電位としてＶＣＯＭ１を供給する。
【００４８】
すなわちメイン側液晶表示パネル５０２の対向電位２２は、メイン側液晶表示パネル５０２の点灯状態の時に、表示期間Ｔ３には前記ＶＣＯＭＨ２と前記ＶＣＯＭＬ２が極性信号５により交流化された電位となり、非表示期間Ｔ４においては前記ＶＣＯＭＤＣ２を供給し、サブ側液晶表示パネル５０１の対向電位２１は前記ＶＣＯＭＤＣ１を供給する。これにより、メイン側液晶表示パネル５０２が点灯状態の時、メイン側液晶表示パネル５０２の非表示期間Ｔ４及びサブ側液晶表示パネル５０１の対向電位はそれぞれ独立して液晶パネルの特性にあわせた一定電位を供給することが可能で、メイン側液晶表示パネル５０２は対向電極の電位をリークの少ない電位に調整し従来と変わらない表示品位を確保し、サブ側液晶表示パネル５０１は対向電極の電位を画素に蓄積される電位を放電しやすい電位に調整しつつ、対向電極の充放電を極端に減少させ、低消費電力化が可能となる。なお、非表示期間Ｔ４は１フレームの最後にあるとは限らず、また複数あってもよい。
【００４９】
（第２の実施の形態）
図４は、本発明の第２の実施の形態の液晶表示装置の対向電位の供給源の構成を示す図である。なお、本実施の形態の液晶表示装置の図４以外の部分については、従来の技術で説明した液晶表示装置と同様であるので、説明を省略する。
【００５０】
３１はメイン側液晶表示パネル５０２表示／非表示の表示切替信号であり、３２はサブ側液晶表示パネル５０１の表示／非表示の表示切替信号であり、３３は極性信号であり、３４は表示切替信号３１、表示切替信号３２、及び極性信号３３を制御する制御部であり、３５はサブ側液晶表示パネル５０１のＨｉ側の対向電位発生源であり、３６はサブ側液晶表示パネル５０１のＬｏ側の対向電位発生源であり、３７はメイン側液晶表示パネル５０２のＨｉ側の対向電位発生源であり、３８はメイン側液晶表示パネル５０２のＬｏ側の対向電位発生源であり、３９は非表示の液晶パネルの対向電極へ供給される対向電位発生源であり、４０は極性信号３３によって接続を切り替えるスイッチング素子であり、４１は極性信号３３によって接続を切り替えるスイッチング素子であり、４２は表示切替信号３２によって接続を切り替えるスイッチング素子であり、４３は表示切替信号３１によって接続先を切り替えるスイッチング素子である。
【００５１】
次に、このような本実施の形態の動作を説明する。
【００５２】
図５は本発明の第２の実施の形態の液晶表示装置のサブ側液晶表示パネル５０１が点灯しており、メイン側液晶表示パネル５０２が非点灯である時の１Ｈ対向反転駆動時の対向電位の時間変化をあらわす図である。
【００５３】
４４はサブ側液晶表示パネル５０１の対向電位の時間変化であり、４５はメイン側液晶表示パネル５０２の対向電位の時間変化であり、Ｔ５はサブ側液晶表示パネル５０１の表示期間であり、Ｔ６はサブ側液晶表示パネル５０１の非表示期間である。
【００５４】
図６は本発明の第２の実施の形態の液晶表示装置のサブ側液晶表示パネル５０１が非点灯であり、メイン側液晶表示パネル５０２が点灯している時の１Ｈ対向反転駆動時の対向電位の時間変化をあらわす図である。
【００５５】
４６はサブ側液晶表示パネル５０１の対向電位の時間変化であり、４７はメイン側液晶表示パネル５０２の対向電位の時間変化であり、Ｔ７はメイン側液晶表示パネル５０２の表示期間であり、Ｔ８はメイン側液晶表示パネル５０２の非表示期間である。
【００５６】
サブ側液晶表示パネル５０１が点灯しており、メイン側液晶表示パネル５０２が非点灯である場合について図４及び図５を用いて説明をする。
【００５７】
極性信号３３によってスイッチング素子４０は対向電位発生源３５により作り出されるＤＣ電圧、ＶＣＯＭＨ１と対向電位発生源３６により作り出されるＤＣ電圧、ＶＣＯＭＬ１を切り替えた電位を出力する。すなわち、スイッチング素子４０からは、電位がＶＣＯＭＨ１とＶＣＯＭＬ１とに交互に変化する交流化された電位が出力される。
【００５８】
次に表示切替信号３２がサブ側液晶表示パネル５０１の点灯状態を示しスイッチング素子４２が、スイッチング素子４０から出力される前記ＶＣＯＭＨ１と前記ＶＣＯＭＬ１が切り替えられた前記電位を、サブ側液晶表示パネル５０１の対向電位ＶＣＯＭ１として供給する。この時、メイン側液晶表示パネル５０２へは表示切替信号３１がメイン側液晶表示パネル５０２の非点灯状態を示し、スイッチング素子４３は対向電位発生源３９により作り出されたＤＣ電圧、ＶＣＯＭＤＣを選択しメイン側液晶表示パネル５０２の対向電位としてＶＣＯＭ２を供給する。
【００５９】
すなわちサブ側液晶表示パネル５０１の対向電位４４は、サブ側液晶表示パネル５０１点灯状態の時に前記ＶＣＯＭＨ１と前記ＶＣＯＭＬ１が極性信号３３により交流化された電位となり、メイン側液晶表示パネル５０２の対向電位４５は前記ＶＣＯＭＤＣが供給される。
【００６０】
これにより、サブ側液晶表示パネル５０１が点灯状態の時、サブ側液晶表示パネル５０１の対向電極へは、サブ側液晶表示パネル５０１の特性にあわせたＶＣＯＭＨ１とＶＣＯＭＬ１が極性信号３３により交流化された対向電位が供給され、メイン側液晶表示パネル５０２の対向電位は液晶パネルの特性にあわせた一定電位が供給される。従って、サブ側液晶表示パネル５０１は従来と変わらない対向電位を供給することで従来と変わらない表示品位を確保し、メイン側液晶表示パネル５０２は対向電極の電位を画素に蓄積される電位を放電しやすい電位に調整しつつ、対向電極の充放電を極端に減少させ、低消費電力化が可能となる。
【００６１】
次にメイン側液晶表示パネル５０２が点灯、サブ側液晶表示パネル５０１が非点灯の場合について図４及び図６を用いて説明する。
【００６２】
極性信号３３によってスイッチング素子４１は対向電位発生源３７により作り出されるＤＣ電圧、ＶＣＯＭＨ２と対向電位発生源３８により作り出されるＤＣ電圧、ＶＣＯＭＬ２を切り替えた電位を出力する。すなわち、スイッチング素子４１からは、電位がＶＣＯＭＨ２とＶＣＯＭＬ２とに交互に変化する交流化された電位が出力される。
【００６３】
次に表示切替信号３１がメイン側液晶表示パネル５０２の点灯状態を示し、スイッチング素子４３が、スイッチング素子４１から出力される前記ＶＣＯＭＨ２と前記ＶＣＯＭＬ２が切り替えられた前記電位を、メイン側液晶表示パネル５０２の対向電位ＶＣＯＭ２として供給する。この時、サブ側液晶表示パネル５０１へは表示切替信号３２がサブ側液晶表示パネル５０１の非点灯状態を示し、スイッチング素子４２は対向電位発生源３９により作り出されたＤＣ電圧、ＶＣＯＭＤＣを選択しサブ側液晶表示パネル５０１の対向電位としてＶＣＯＭ１を供給する。
【００６４】
すなわちメイン側液晶表示パネル５０２の対向電位４７は、メイン側液晶表示パネル５０２の点灯状態の時に前記ＶＣＯＭＨ２と前記ＶＣＯＭＬ２が極性信号３３により交流化された電位となり、サブ側液晶表示パネル５０１の対向電位４６は前記ＶＣＯＭＤＣを供給する。
【００６５】
これにより、メイン側液晶表示パネル５０２が点灯状態の時、メイン側液晶表示パネル５０２の対向電極へは、メイン側液晶表示パネル５０２の特性にあわせたＶＣＯＭＨ２とＶＣＯＭＬ２が極性信号３３により交流化された対向電位が供給され、サブ側液晶表示パネル５０１の対向電位は、液晶パネルの特性にあわせた一定電位を供給される。従って、メイン側液晶表示パネル５０２は従来と変わらない対向電位を供給することで従来と変わらない表示品位を確保し、サブ側液晶表示パネル５０１は対向電極の電位を画素に蓄積される電位を放電しやすい電位に調整しつつ、対向電極の充放電を極端に減少させ、低消費電力化が可能となる。
【００６６】
なお、送信波をアンテナに出力する送信回路と、前記アンテナで受信された受信波を入力する受信回路と、前記送信回路から出力される画像及び／または前記受信回路により受信された画像を少なくとも表示する表示手段とを備え、前記表示手段には、本発明の液晶表示装置が用いられている、移動体通信端末も本発明に属する。
【００６７】
このように本実施の形態によれば、点灯状態の液晶パネルの非表示期間及び非点灯状態の液晶パネルの対向電位を個別に液晶パネルの特性にあわせた一定電位とし、表示品位への影響がなく対向電極がＨｉ／Ｌｏ切り替わることによる充放電を極端に減少させ、低消費電力である液晶表示装置を提供することが出来る。
【産業上の利用可能性】
【００６８】
本発明にかかる液晶表示装置、液晶表示装置の駆動方法、及び移動体通信端末は、消費電力が少なくなるという効果を有し、画像を表示する液晶表示装置、液晶表示装置の駆動方法、及び移動体通信端末等に有用である。
【図面の簡単な説明】
【００６９】
【図１】本発明の第１の実施の形態における液晶表示装置の対向電位の供給源の構成を示す図
【図２】本発明の第１の実施の形態におけるサブ側液晶表示パネルが点灯しており、メイン側液晶表示パネルが非点灯である時の、１Ｈ対向反転駆動時の対向電位の時間変化を示す図
【図３】本発明の第１の実施の形態におけるサブ側液晶表示パネルが非点灯であり、メイン側液晶表示パネルが点灯している時の１Ｈ対向反転駆動時の対向電位の時間変化を示す図
【図４】本発明の第２の実施の形態における液晶表示装置の対向電位の供給源の構成を示す図
【図５】本発明の第２の実施の形態におけるサブ側液晶表示パネルが点灯しており、メイン側液晶表示パネルが非点灯である時の、１Ｈ対向反転駆動時の対向電位の時間変化を示す図
【図６】本発明の第２の実施の形態におけるサブ側液晶表示パネルが非点灯であり、メイン側液晶表示パネルが点灯している時の１Ｈ対向反転駆動時の対向電位の時間変化を示す図
【図７】従来の液晶表示装置の１Ｈ対向反転駆動時の対向電位の時間変化を示す図
【図８】従来の液晶表示装置の対向電位の供給源の構成を示す図
【図９】従来の液晶表示装置の構成を示す図
【符号の説明】
【００７０】
１  表示切替信号
２  表示切替信号
３  表示切替信号
４  極性信号
５  極性信号
６  制御部
７  対向電位発生源
８  対向電位発生源
９  対向電位発生源
１０  対向電位発生源
１１  対向電位発生源
１２  対向電位発生源
１３  スイッチング素子
１４  スイッチング素子
１５  スイッチング素子
１６  スイッチング素子
１７  スイッチング素子
１８  スイッチング素子
１９  サブ側液晶表示パネルの対向電位の時間変化
２０  メイン側液晶表示パネルの対向電位の時間変化
２１  サブ側液晶表示パネルの対向電位の時間変化
２２  メイン側液晶表示パネルの対向電位の時間変化
Ｔ１  サブ側液晶表示パネルの表示期間
Ｔ２  サブ側液晶表示パネルの非表示期間
Ｔ３  メイン側液晶表示パネルの表示期間
Ｔ４  メイン側液晶表示パネルの非表示期間
１０１  極性信号
１０２  制御部
１０３  対向電位発生源
１０４  対向電位発生源
１０５  対向電位発生源
１０６  対向電位発生源
１０７  スイッチング素子
１０８  スイッチング素子
１０９  サブ側液晶表示パネルの対向電位の時間変化
１１０  メイン側液晶表示パネルの対向電位の時間変化
Ｔ１１  液晶表示期間
Ｔ１２  液晶非表示期間
【図１】
2005091626.tif 000003
【図２】
2005091626.tif 000004
【図３】
2005091626.tif 000005
【図４】
2005091626.tif 000006
【図５】
2005091626.tif 000007
【図６】
2005091626.tif 000008
【図７】
2005091626.tif 000009
【図８】
2005091626.tif 000010
【図９】
2005091626.tif 000011